(57)【要約】      （修正有）【課題】信頼性が高く、自動識別可能であるとともに、作業員によって容易に確認することができる識別情報をシートゴムに付加するシートゴムへの識別情報付加方法及びその装置を提供する。【解決手段】ラックコンベア10によって搬送されるシートゴムＷに任意の識別情報を付加するシートゴムへの識別情報付加装置であって、シートゴムＷの表面に接触可能な複数のブロックを有し、各ブロックのうち任意のブロックをシートゴム側に突出可能な識別情報付加ヘッド40と、識別情報の一部を形成するようにシートゴムＷ側に突出するブロックがシートゴムＷとの接触位置をラックコンベア10の搬送方向に相対的に変えながら所定回数だけシートゴムＷに接触して識別情報の全体を形成するように識別情報付加ヘッド40を制御する制御装置を備える。【選択図】図１
2006150727.tif 000002
【特許請求の範囲】
【請求項１】
コンベアによって搬送されるシートゴムに任意の識別情報を付加するシートゴムへの識別情報付加方法であって、
前記シートゴムの表面に接触可能な複数のブロックのうち任意のブロックを識別情報の一部を形成するようにシートゴム側に突出させるとともに、
シートゴム側に突出したブロックをシートゴムとの接触位置がコンベアの搬送方向に相対的に変わるように所定回数だけシートゴムに接触させて識別情報の全体を形成する
ことを特徴するシートゴムへの識別情報付加方法。
【請求項２】
コンベアによって搬送されるシートゴムに任意の識別情報を付加するシートゴムへの識別情報付加装置であって、
前記シートゴムの表面に接触可能な複数のブロックを有し、各ブロックのうち任意のブロックをシートゴム側に突出可能な識別情報付加ヘッドと、
識別情報の一部を形成するようにシートゴム側に突出するブロックがシートゴムとの接触位置をコンベアの搬送方向に相対的に変えながら所定回数だけシートゴムに接触して識別情報の全体を形成するように識別情報付加ヘッドを制御する制御手段とを備えた
ことを特徴するシートゴムへの識別情報付加装置。
【請求項３】
前記各ブロックにおけるシートゴムとの接触面に、シートゴムに付着された防着液を取り除くことにより識別情報の一部を形成する除去手段を設けた
ことを特徴する請求項２に記載のシートゴムへの識別情報付加装置。
【請求項４】
前記除去手段を吸取パッドによって形成した
ことを特徴する請求項３に記載のシートゴムへの識別情報付加装置。
【請求項５】
前記識別情報として、文字、記号、図形、バーコード、二次元コードの情報のうち少なくとも１つを含む
ことを特徴する請求項２乃至４に記載のシートゴムへの識別情報付加装置。
【発明の詳細な説明】
【技術分野】
【０００１】
本発明は、例えばタイヤの製造に用いられるシートゴムに材料の仕様等の任意の識別情報を付加するシートゴムへの識別情報付加方法及びその装置に関するものである。
【背景技術】
【０００２】
従来、この種の識別情報を付加するものとしては、材料の仕様、タイヤ種類、サイズ等を表示するための文字、記号等を刻印したブロックが嵌め込まれた転写リングを複数備え、タイヤ部材の種類毎に転写リングを自動的に交換し、塗料が付着された転写リングをタイヤ部材表面に接触させて文字、記号等を転写するようにしたものが知られている（例えば、特許文献１参照）。
【０００３】
一方、シートゴムへの識別情報付加は、作業員によってバーコード付現品票（バーコードエフ）をシートゴムに貼付したり、ラバーチョークでシートゴムに品名を書き込んだり、ＲＦＩＤ（Radio Frequency ID）システムを利用して識別情報を記憶したＩＣタグをシートゴムに取り付けたりしていた。
【特許文献１】特開平１−１１５６２２号公報
【発明の開示】
【発明が解決しようとする課題】
【０００４】
しかしながら、バーコードエフを用いる場合、作業員がシートゴムに貼付するバーコードエフを間違えたり、作業員の貼付が不十分であるためにバーコードエフが脱落して識別情報が不明になるなど、シートゴムに付加された識別情報の信頼性が低いという問題があった。
【０００５】
また、ラバーチョークを用いる場合、シートゴムに書き込んだ品名を自動識別することは難しいため、作業員がシートゴムから直接読み取って識別せざるを得ず、識別作業の作業効率が悪いという問題があった。
【０００６】
さらに、ＲＦＩＤシステムを利用する場合、作業員がシートゴムに取り付けられたＩＣタグから識別情報を目視できないため、作業員が識別情報を確認する際には専用の読取機器が必要となり、確認作業の作業効率が悪いという問題があった。
【０００７】
本発明の目的は上記の問題点に鑑み、信頼性が高く、自動識別可能であるとともに、作業員によって容易に確認することができる識別情報をシートゴムに付加するシートゴムへの識別情報付加方法及びその装置を提供することにある。
【課題を解決するための手段】
【０００８】
本発明は前記目的を達成するために、コンベアによって搬送されるシートゴムに任意の識別情報を付加するシートゴムへの識別情報付加方法であって、前記シートゴムの表面に接触可能な複数のブロックのうち任意のブロックを識別情報の一部を形成するようにシートゴム側に突出させるとともに、シートゴム側に突出したブロックをシートゴムとの接触位置がコンベアの搬送方向に相対的に変わるように所定回数だけシートゴムに接触させて識別情報の全体を形成するシートゴムへの識別情報付加方法を提案する。
【０００９】
また、本発明は前記目的を達成するために、コンベアによって搬送されるシートゴムに任意の識別情報を付加するシートゴムへの識別情報付加装置であって、前記シートゴムの表面に接触可能な複数のブロックを有し、各ブロックのうち任意のブロックをシートゴム側に突出可能な識別情報付加ヘッドと、識別情報の一部を形成するようにシートゴム側に突出するブロックがシートゴムとの接触位置をコンベアの搬送方向に相対的に変えながら所定回数だけシートゴムに接触して識別情報の全体を形成するように識別情報付加ヘッドを制御する制御手段とを備えたシートゴムへの識別情報付加装置を提案する。
【００１０】
本発明によれば、複数のブロックのうち任意のブロックが識別情報の一部に応じてシートゴム側に突出し、当該ブロックがシートゴムとの接触位置がコンベアの搬送方向に相対的に変わるように所定回数だけシートゴムに接触してて識別情報の全体が形成されることから、シートゴムに誤った識別情報が付加されたり、識別情報が脱落したりすることはない。
【発明の効果】
【００１１】
本発明によれば、シートゴムに誤った識別情報が付加されたり、識別情報が脱落したりすることはないので、シートゴムに付加する識別情報の信頼性を高めることができ、例えば不適合なシートゴムの使用による不良品の発生を確実に防止することができる。
【発明を実施するための最良の形態】
【００１２】
図１乃至図６は本発明の一実施形態を示すもので、図１は本発明の一実施形態におけるシートゴムへの識別情報付加装置の概略側面図、図２は本発明の一実施形態におけるシートゴムへの識別情報付加装置の制御ブロック図、図３は図１に示した識別情報付加ヘッドの拡大正面図、図４は図１に示した識別情報付加ヘッドの拡大底面図、図５は本発明の一実施形態におけるシートゴムへの識別情報付加装置の動作を表すフローチャート、図６は本発明の一実施形態におけるシートゴムへの識別情報の付加を説明する図である。
【００１３】
まず、図１乃至図４を参照して本発明の一実施形態におけるシートゴムへの識別情報付加装置の構成について説明する。
【００１４】
シートゴムＷは、例えば成形工程等の前工程から供給される所定長、所定幅のコンパウンドのゴム材料である。
【００１５】
防着液タンク1は、シートゴムＷを載置したとき又はシートゴム同士を重ねたときに接着を防止するための周知の防着液Ｌで満たされたタンクである。なお、防着液は特に種類を問わないが、シートゴムＷ表面の色との識別を容易にするため乾燥後白色粉末状となるものが好ましい。
【００１６】
防着液付着コンベア3はプーリ4〜6とコンベアベルト7とから構成されており、コンベアベルト7は、図示しないモータ等の動力源により回転駆動されるプーリ4〜6に巻き掛けられている。
【００１７】
押さえローラ2と防着液付着コンベア3は、シートゴムＷを把持した状態で防着液Ｌに浸した後に、シートゴムＷをラックコンベア10へと搬送する。なお、防着液付着コンベア3とラックコンベア10との間に乾燥装置等を設けて、防着液Ｌを乾燥させてからシートゴムＷをラックコンベア10に搬送するようにしてもよい。
【００１８】
ラックコンベア10はプーリ11〜13とコンベアベルト14とから構成されており、コンベアベルト14は、図示しないモータ等の動力源により回転駆動されるプーリ11〜13に巻き掛けられている。
【００１９】
ラックコンベア10は、防着液付着コンベア3から搬送されたシートゴムＷを所定方向（図１において左から右）に所定速度で識別情報付加装置へと搬送する。
【００２０】
識別情報付加装置は、速度計20と、制御装置30と、ヘッド移動機構31と、識別情報付加ヘッド40とから構成されている。
【００２１】
速度計20は、図示しないモータ等の回転数又はプーリ11〜13の回転数等からラックコンベア30の搬送速度を測定する周知の機器からなり、図１ではプーリ13の回転数からシートゴムＷの搬送速度を測定する。なお、シートゴムＷから搬送速度を直接測定するようにしてもよい。
【００２２】
制御装置30は識別情報付加装置の動作を制御するものであり、速度計20、ヘッド移動機構31及び識別情報付加ヘッド40に接続されるとともに、シートゴムＷへの識別情報付加装置の外部にある製造ライン管理装置50に接続されている。
【００２３】
制御装置30は、周知のコンピュータと周知の記憶装置等からなり、速度計20が測定したシートゴムＷの搬送速度と、製造ライン管理装置50から送信されるシートゴムＷの識別情報とに基づいて、ヘッド移動機構31、識別情報付加ヘッド40の動作を制御するようになっている。
【００２４】
ヘッド移動機構31は、下端に識別情報付加ヘッド40が取り付けられた支持部31aと、支持部31aを上下方向に移動させる第１駆動部31bと、第１駆動部31bを前後方向及び左右方向に移動させる第２駆動部31cとからなり、各駆動部31b,31cはそれぞれ制御装置30に接続されている。
【００２５】
識別情報付加ヘッド40は、シートゴムＷに記号や文字等の識別情報を付加するものであり、ヘッド本体41と、図３において１列に並んだ８つのブロック42a〜42hと、各ブロック42a〜42hを上下方向に移動する油圧シリンダ44a〜44hとを有している。識別情報付加ヘッド40は、制御装置30からの制御信号によって油圧シリンダ44a〜44hを駆動することにより、各ブロック42a〜42hのうち所定のブロック42a〜42hをシートゴムＷ側に突出させるようになっている。なお、ブロック42a〜42hは１列に限定されず、複数列であってもよい。また、油圧シリンダ44a〜44hに代えて、他の駆動源、例えばソレノイド、モータ等を用いるようにしてもよい。
【００２６】
各ブロック42a〜42hは、シートゴムＷとの接触面（下端面）に吸取パッド43a〜43hを有し、シートゴムＷに接触することにより、シートゴム表面に付着した防着液Ｌを取り除くようになっている。
【００２７】
なお、防着液Ｌを乾燥させてからシートゴムＷをラックコンベア10に搬送する場合には、シートゴムＷに接触することにより粉末を除去できるパッドを有するようにするなど、目的にあわせて吸取パッド43a〜43hを他の手段に変えることが好ましい。
【００２８】
製造ライン管理装置50は、製造ラインの各工程、各作業の全てを管理するものであり、搬送されてくるシートゴムＷに付加する識別情報を、事前に又は同時に制御装置30に送信する。なお、事前に識別情報を受信した制御装置30は、記憶装置等に記憶しておくことが好ましい。
【００２９】
次に、図５及び図６を参照して本発明の一実施形態におけるシートゴムへの識別情報付加装置の動作について説明する。
【００３０】
図５に示すように、制御装置30は、図示しない対物センサ等によってシートゴムＷがラックコンベア10に搬送されたか否かを検出する（S101）。制御装置30はシートゴムＷを検出するまでS101の処理を繰り返す。
【００３１】
シートゴムＷを検出すると、制御装置30は速度計20が測定するラックコンベア10の搬送速度を受信し(S102)、製造ライン管理装置50からシートゴムＷの識別情報を受信する（S103）。
【００３２】
さらに、制御装置30は、ヘッド移動機構31によって識別情報付加ヘッド40を所定位置に配置する（S104）。制御部30は、速度計20から送信された搬送速度と製造ライン管理装置50から送信された識別情報に基づいてヘッド移動機構31及び識別情報付加ヘッド40に制御信号を出力し、識別情報付加ヘッド40は識別情報の一部を形成するように所定のブロック42a〜42hを下方に突出させ、ヘッド移動機構31は識別情報付加ヘッド40を下方に移動して、吸取パッド43a〜43hをシートゴムＷに接触させる（S105）。
【００３３】
吸取パッド43a〜43hをシートゴムＷに接触させることにより、シートゴムＷに付着されている防着液Ｌを確実に取り除くことができる。そして、識別情報付加ヘッド40を所定回数だけ上下動させ、所定のブロック42a〜42hの接触位置をシートゴムＷの搬送方向に相対的に変えながらシートゴムＷに接触させることにより、シートゴムＷ上には防着液Ｌが取り除かれたシート地部分Ｗａと防着液Ｌが残存する防着液部分Ｗｂとによって所定の識別情報が形成される。その際、シートゴムＷ側に突出されるブロック42a〜42hを一回の接触ごとに変化させることにより任意の識別情報を形成することができる。また、防着液部分Ｗｂは乾燥後に粉末状になり、シート地部分ＷａはシートゴムＷの表面が現れる。
【００３４】
従って、シート地部分Ｗａによって、例えば図６に示すように文字が形成され、製造ライン管理装置50から送信された識別情報に基づいて、任意の識別情報を付加することができる。
【００３５】
なお、付加することができる識別情報は文字に限らず、記号や図形、或いは自動識別可能なバーコード、二次元コード等であってもよい。また、識別情報は、文字、記号、図形、バーコード、二次元コード等の情報のうち２つ以上を含むようにしてもよい。
【００３６】
シートゴムＷに識別情報を付加し終えたら、次のシートゴムＷに識別情報を付加するため再度S101〜S105の処理を繰り返す。
【００３７】
本実施形態では、防着液Ｌを付着したシートゴムＷに所定のブロック42a〜42hを接触させることにより識別情報を付加するようにしたが、防着液Ｌが付着されていないシートゴムＷの場合、所定のブロック42a〜42hを強く接触させることによりシートゴム表面に凹部を形成し識別情報を付加するようにしてもよいし、各ブロック42a〜42hに塗料をしみ込ませたパッドを設け、当該パッドを接触させることにより識別情報を付加するようにしてもよい。
【００３８】
このように上記構成及び動作によれば、シートゴムＷの表面に接触可能な複数のブロック42a〜42hのうち所定のブロック42a〜42hを識別情報の一部を形成するようにシートゴムＷ側に突出させるとともに、シートゴムＷ側に突出させたブロック42a〜42hをシートゴムＷとの接触位置をラックコンベア10の搬送方向に相対的に変わるように所定回数だけシートゴムＷに接触させて識別情報の全体を形成するようにしたので、シートゴムＷに誤った情報を付加したり、識別情報が脱落したりすることがなく、シートゴムＷに付加する識別情報の信頼性を高めることができる。
【００３９】
また、シートゴムＷに乾燥後粉末状になる防着液が付着されて搬送されている場合、各ブロック42a〜42hはシートゴムＷとの接触面に吸取パッド43a〜43hを有することにより、防着液Ｌを取り除くことができ、防着液Ｌが取り除かれた部分は識別情報を構成し、識別情報を付加することができる。
【００４０】
また、識別情報は、文字、記号、図形、バーコード、二次元コードの情報のうち少なくとも１つを含むことにより、例えば識別情報がバーコードと文字の情報を含む場合には、バーコードによって識別情報を自動識別することができるとともに、文字によって作業員が識別情報を目視することができる。これにより、自動識別することが容易となり作業員によってシートゴムを識別しなくてもよくなり識別作業の作業効率を良くすることができるとともに、作業員が容易に識別情報を確認することができ、専用の読取機器が必要なくなり確認作業を効率良くす行うことができる。
【００４１】
なお、本発明の構成は上記実施形態のみに限定されるものではなく、本発明の要旨を逸脱しない範囲内において種々変更を加えてもよい。
【図面の簡単な説明】
【００４２】
【図１】本発明の一実施形態におけるシートゴムへの識別情報付加装置の概略側面図
【図２】本発明の一実施形態におけるシートゴムへの識別情報付加装置の制御ブロック図
【図３】図１に示した識別情報付加ヘッドの拡大正面図
【図４】図１に示した識別情報付加ヘッドの拡大底面図
【図５】本発明の一実施形態におけるシートゴムへの識別情報付加装置の動作を表すフローチャート
【図６】本発明の一実施形態におけるシートゴムへの識別情報の付加を説明する図
【符号の説明】
【００４３】
1…防着液タンク、2…押さえローラ、3…防着液付着コンベア、4〜6…プーリ、7…コンベアベルト、10…ラックコンベア、11〜13…プーリ、14…コンベアベルト、20…速度計、30…制御装置、31…ヘッド移動機構、31a…支持部、31b…第１駆動部、31c…第２駆動部、40…識別情報付加ヘッド、41…ヘッド本体、42a〜42h…ブロック、43a〜43h…吸取パッド、44a〜44h…油圧シリンダ、50…製造ライン管理装置、Ｗ…ゴムシート、Ｗａ…シート地部分、Ｗｂ…防着液部分、Ｌ…防着液。
【図１】
2006150727.tif 000003
【図２】
2006150727.tif 000004
【図３】
2006150727.tif 000005
【図４】
2006150727.tif 000006
【図５】
2006150727.tif 000007
【図６】
2006150727.tif 000008